(57)【要約】【課題】  生体組織の劣化した部位に存在するマイナス電荷を効果的に中和させることにより、組織の劣化に伴う痛み等を抑制することのできる生体内電荷中和装置を提供する。【解決手段】  口腔内金属に接触させる金属接触端子１と、生体組織の劣化した部位に接触させる組織接触端子２と、１つの可動接点４ａと２つの固定接点４ｂ，４ｃとを有し、前記金属接触端子１を可動接点４ａに接続した第１の切替スイッチ４と、１つの可動接点５ａと２つの固定接点５ｂ，５ｃとを有し、前記組織接触端子２を可動接点５ａに接続した第２の切替スイッチ５と、前記第１の切替スイッチ４の一方の固定接点４ｂと前記第２の切替スイッチ５の一方の固定接点５ｃとの接続経路上に一方の電極３ａが接続され、前記第１の切替スイッチ４の他方の固定接点４ｃと前記第２の切替スイッチ５の他方の固定接点５ｂとの接続経路上に他方の電極３ｂが接続されたコンデンサ３とを備える。【選択図】  図１
2006068414.tif 000002
【特許請求の範囲】
【請求項１】
口腔内金属に接触させる金属接触端子と、
生体組織の劣化した部位に接触させる組織接触端子と、
前記金属接触端子及び組織接触端子に電気的に接続され、前記口腔内金属に存在する電荷と前記生体組織の劣化した部位に存在する電荷とを中和する電荷中和手段と
を備えることを特徴とする生体内電荷中和装置。
【請求項２】
前記電荷中和手段が、前記口腔内金属に存在する電荷と前記生体組織の劣化した部位に存在する電荷とを取得し蓄積するとともに、前記蓄積した電荷の正負を反転させることのできる装置からなることを特徴とする請求項１に記載の生体内電荷中和装置。
【請求項３】
前記蓄積した電荷の正負の反転が、所定の周波数に応じて行われることを特徴とする請求項２に記載の生体内電荷中和装置。
【請求項４】
口腔内金属に接触させる金属接触端子と、
生体組織の劣化した部位に接触させる組織接触端子と、
１つの可動接点と２つの固定接点とを有し、前記金属接触端子が可動接点に接続された第１の切替スイッチと、
１つの可動接点と２つの固定接点とを有し、前記組織接触端子が可動接点に接続された第２の切替スイッチと、
前記第１の切替スイッチの一方の固定接点と前記第２の切替スイッチの一方の固定接点との接続経路上に一方の電極が接続され、前記第１の切替スイッチの他方の固定接点と前記第２の切替スイッチの他方の固定接点との接続経路上に他方の電極が接続されたコンデンサと
を備えることを特徴とする生体内電荷中和装置。
【請求項５】
さらに、第１の切替スイッチの可動接点と固定接点との接続及び第２の切替スイッチの可動接点と固定接点との接続を切り替える切替スイッチ駆動部を備えることを特徴とする請求項４に記載の生体内電荷中和装置。
【請求項６】
さらに、前記切替スイッチ駆動部に接続され、切替タイミング情報を含む電気信号を前記切替スイッチ駆動部に送信し得る切替信号出力部を備えることを特徴とする請求項５に記載の生体内電荷中和装置。
【請求項７】
さらに、前記切替スイッチ駆動部と前記切替信号出力部との間に接続され、前記電気信号に含まれる切替タイミング情報による切替タイミングをランダムに変化させ得る切替タイミング制御部を備えることを特徴とする請求項６に記載の生体内電荷中和装置。
【発明の詳細な説明】
【技術分野】
【０００１】
本発明は、生体内の患部等に帯電した電荷を中和させることにより患部等の治療を行う生体内電荷中和装置に関する。
【背景技術】
【０００２】
人体の健康な組織（特に皮膚組織）は、通常、プラス電荷を帯びているが、何らかの影響により組織が劣化したり細胞に異常を来たしたりすると、その部位はマイナス電荷を帯びることが知られている。
【０００３】
ところで、マイナスイオンを生体内に取り込むと、血液等の体液が弱アルカリ性に傾くため、各細胞の機能が活性化し、細胞の新陳代謝が活発になり、その結果、疲労が回復する等の好影響が生体組織に及ぼされる。
【０００４】
しかし、組織の劣化等により組織や細胞がマイナス電荷を帯びていると、生体組織は、大気中に存在するマイナスイオンを取り込みにくくなる反面、プラスイオンを取り込みやすくなる。このように、生体組織がプラスイオンを取り込みやすくなることにより、血液等の体液が酸性に傾き、細胞の新陳代謝が低下して、人体の各部に痛みが生じる等、生体組織に悪影響を及ぼすことが知られている。
【０００５】
そこで、酸性に傾いた生体組織を弱アルカリ性に戻すように治療することを目的として、生体組織にマイナス電位を印加することにより治療を行う電位治療装置（特許文献１参照）が提案されている。
【特許文献１】特開２００３−１９０３００号公報
【発明の開示】
【発明が解決しようとする課題】
【０００６】
本発明は、上記の電位治療装置とは別の観点からなされたものであり、生体組織の劣化した部位に存在するマイナス電荷を効率的に中和させることにより、組織の劣化等に伴う痛み等を抑制することができる生体内電荷中和装置を提供することを目的とする。
【課題を解決するための手段】
【０００７】
上記課題を解決するため、本発明の生体内電荷中和装置は、口腔内金属に接触させる金属接触端子と、生体組織の劣化した部位に接触させる組織接触端子と、前記金属接触端子及び組織接触端子に電気的に接続され、前記口腔内金属に存在する電荷と前記生体組織の劣化した部位に存在する電荷とを中和する電荷中和手段とを備えたことを特徴とする（請求項１）。
【０００８】
上記発明（請求項１）によれば、口腔内金属にガルバニー電流（口腔内に存在する異種金属同士が接触し、唾液や歯の内部組織液を電解質として両金属間に電位差が生じることにより流れる電流）が発生し、口腔内金属にプラス電荷が帯電している場合に、そのプラス電荷で生体組織の劣化した部位に帯電しているマイナス電荷を中和させることができる。この結果、生体組織の劣化等に伴う痛み等を抑制することができる。
【０００９】
ここで、口腔内金属とは、口腔内に存在する金属のことをいい、例えば、歯科治療等で用いられるアマルガム、パラジウム、ニッケルクロム合金、コバルトクロム合金、チタニウム合金、銀合金、金合金、白金加金合金等が挙げられる。また、組織の劣化した部位とは、細胞に異常を来たしている部位のことをいい、例えば、頭痛、肩こり、腰痛、四肢痛等の痛みのある部位等が挙げられる。
【００１０】
上記発明（請求項１）においては、前記電荷中和手段が、前記口腔内金属に存在する電荷と前記生体組織の劣化した部位に存在する電荷とを取得し蓄積するとともに、前記蓄積した電荷の正負を反転させることのできる装置からなることが好ましい（請求項２）。
【００１１】
上記発明（請求項２）によれば、取得し蓄積した電荷の正負を反転させることにより、取得し蓄積したプラス電荷で生体組織の劣化した部位に存在するマイナス電荷を中和させ、取得し蓄積したマイナス電荷で口腔内金属に存在するプラス電荷を中和させることができる。
【００１２】
上記発明（請求項２）においては、前記蓄積した電荷の正負の反転が、所定の周波数に応じて行われることが好ましい（請求項３）。上記発明（請求項２）によれば、蓄積した電荷の正負が所定の周波数に応じて反転されるため、口腔内金属に存在する電荷と生体組織の劣化した部位に存在する電荷とを効果的に中和させることができる。
【００１３】
ここで、上記周波数は、０．５〜１００Ｈｚの範囲内であることが好ましい。また、その周波数は、予め一定の周波数を設定してもよいし、上記範囲内で周波数を変化させてもよい。上記のように周波数を変化させる場合には、ランダムに変化させてもよいし、生体内電荷中和装置の使用開始からの経過時間に同期させて所定のタイミングで変化させてもよい。上記周波数を変化させることにより、生体組織の劣化に伴う痛み等を効果的に抑制することができる。
【００１４】
また、本発明の生体内電荷中和装置は、口腔内金属に接触させる金属接触端子と、生体組織の劣化した部位に接触させる組織接触端子と、１つの可動接点と２つの固定接点とを有し、前記金属接触端子を可動接点に接続した第１の切替スイッチと、１つの可動接点と２つの固定接点とを有し、前記組織接触端子を可動接点に接続した第２の切替スイッチと、前記第１の切替スイッチの一方の固定接点と前記第２の切替スイッチの一方の固定接点との接続経路上に一方の電極が接続され、前記第１の切替スイッチの他方の固定接点と前記第２の切替スイッチの他方の固定接点との接続経路上に他方の電極が接続されたコンデンサとを備えることを特徴とする（請求項４）。
【００１５】
上記発明（請求項４）によれば、コンデンサの電極に電荷が蓄積されるとともに、切替スイッチの可動接点と固定接点との接続を切り替えることで、コンデンサの電極に蓄積された電荷の正負を反転させることができるため、コンデンサの電極に蓄積された電荷と口腔内金属及び生体組織の劣化した部位に存在する電荷とを中和させることができる。
【００１６】
上記発明（請求項４）においては、さらに、第１の切替スイッチの可動接点と固定接点との接続及び第２の切替スイッチの可動接点と固定接点との接続を切り替える切替スイッチ駆動部を備えることが好ましい（請求項５）。
【００１７】
上記発明（請求項５）によれば、さらに切替スイッチ駆動部を備えることにより、切替スイッチの可動接点と固定接点との接続を自動的に切り替えることができ、口腔内金属に存在しているプラス電荷及び生体組織の劣化した部位に存在しているマイナス電荷を中和させることができる。
【００１８】
上記発明（請求項５）においては、さらに、前記切替スイッチ駆動部に接続され、切替タイミング情報を含む電気信号を前記切替スイッチ駆動部に送信し得る切替信号出力部を備えることが好ましい（請求項６）。
【００１９】
上記発明（請求項６）によれば、切替タイミングを予め設定しておき、その切替タイミングに対応して切替スイッチが自動的に動作するため、口腔内金属に存在するプラス電荷と組織の劣化した部位に存在するマイナス電荷とを効果的に中和させることができる。
【００２０】
また、上記発明（請求項６）においては、さらに、前記切替スイッチ駆動部と前記切替信号出力部との間に接続され、前記電気信号に含まれる切替タイミング情報による切替タイミングをランダムに変化させ得る切替タイミング制御部を備えることが好ましい（請求項７）。
【００２１】
上記発明（請求項７）によれば、切替タイミングをランダムに変化させることで、より効果的に口腔内金属に存在するプラス電荷と組織の劣化した部位に存在するマイナス電荷とを中和させることができる。この結果、組織の劣化に伴う痛み等を抑制することができる。
【発明の効果】
【００２２】
本発明の生体内電荷中和装置は、口腔内金属に存在するプラス電荷と組織の劣化した部位に存在するマイナス電荷とを効果的に中和させることができるため、組織の劣化等に伴う痛み等の抑制に効果的である。
【発明を実施するための最良の形態】
【００２３】
以下、本発明の一実施形態について、図面に基づいて説明する。
図１は、本実施形態に係る生体内電荷中和装置の回路図であり、図２は、本実施形態に係る生体内電荷中和装置におけるタイマー装置の回路図であり、図３は、本実施形態に係る生体内電荷中和装置におけるコンデンサ基板の回路図である。
【００２４】
図１に示すように、本実施形態に係る生体内電荷中和装置は、金属接触端子１、組織接触端子２、コンデンサ３、第１の切替スイッチ４、第２の切替スイッチ５、切替スイッチ駆動部６、Auto-Manual切替スイッチ７、切替タイミング制御部８及び切替信号出力部９ａ，９ｂを備える。
【００２５】
本実施形態において、金属接触端子１は、フラクタルコイル１’を介して第１の切替スイッチ４の可動接点４ａに接続され、組織接触端子２は、フラクタルコイル２’を介して第２の切替スイッチ５の可動接点５ａに接続されている。
ここで、フラクタルコイル１’，２’とは、直線状の線材の外周に線材を右巻きに巻き付け、さらに別の直線状の線材に同様に右巻きに巻き付け、この線材の巻き付けを繰り返した多次元コイルのことをいう（特開平５−２７７１９６号公報参照）。
【００２６】
本実施形態における金属接触端子１及び組織接触端子２の材料は、導電性を有する材料であれば特に限定されることはなく、金、銀、銅、白金等の各種金属；金合金、白金合金、銀合金、銅合金等の各種合金；導電性ポリマー等を使用することができるが、使用時に口腔内組織及び皮膚組織に接触するものであるため、口腔内組織及び皮膚組織に悪影響を及ぼすおそれのない金、白金等を用いるのが好ましい。
【００２７】
上記第１の切替スイッチ４の固定接点４ｂは第２の切替スイッチ５の固定接点５ｃと、第１の切替スイッチ４の固定接点４ｃは第２の切替スイッチ５の固定接点５ｂと、それぞれ導線により接続されている。固定接点４ｂと固定接点５ｃとを接続する導線の任意の位置にはコンデンサ３の一方の電極３ａが接続され、固定接点４ｃと固定接点５ｂとを接続する導線の任意の位置にはコンデンサ３の他方の電極３ｂが接続されている。
【００２８】
切替スイッチ駆動部６は、コイル６１、トランジスタ６２、ダイオード６３及び抵抗から構成される。コイル６１の一端部は、トランジスタ６２のコレクタに接続され、他端部は電源ラインに接続されている。
【００２９】
ダイオード６３は、コイル６１と並列に接続されている。これにより、第１の切替スイッチ４及び第２の切替スイッチ５の動作が復旧するときに発生する逆起電力による電流をダイオード６３に流し、高電圧がかかることによるトランジスタ６２の破壊を防止している。なお、第１の切替スイッチ４及び第２の切替スイッチ５の動作の復旧時の起電力が小さく、トランジスタ６２に影響を与えない場合には、ダイオード６３は接続されていなくてもよい。
【００３０】
トランジスタ６２のベースには、抵抗を介してAuto-Manual切替スイッチ７の可動接点７ａが接続されている。Auto-Manual切替スイッチ７の固定接点７ｂには、所定の周波数を有する電気信号を発信する切替タイミング制御部８が接続されている。
【００３１】
上記周波数は、０．５〜１００Ｈｚであるのが好ましい。０．５Ｈｚ未満だとコンデンサ３に蓄えられた電荷量が、コンデンサ３の容量に達していないにもかかわらず切替スイッチ４，５を切り替えてしまうおそれがあり、１００Ｈｚを超えるとコンデンサ３の容量の電荷量が既に蓄えられた状態となり、切替スイッチ４，５を切り替える前に通電が不可能な状態となるおそれがある。
【００３２】
切替タイミング制御部８には、第１の切替スイッチ４及び第２の切替スイッチ５を動作させるための電気信号を出力する切替信号出力部９ａが接続されている。また、固定接点７ｃには第１の切替スイッチ４及び第２の切替スイッチ５を動作させるための所定の周波数を有する電気信号を出力する切替信号出力部９ｂが接続されている。なお、切替信号出力部９ｂから出力される電気信号の周波数も、上記切り替えタイミング制御部８から出力される電気信号の周波数と同様に、０．５〜１００Ｈｚであることが好ましい。
【００３３】
切替タイミング制御部８は、ＶＦコンバータ８１及び非同期カウンタ８２により構成され、非同期カウンタ８２は抵抗及びトランジスタを介してＶＦコンバータ８１に接続されている。
【００３４】
切替信号出力部９ａ，９ｂは、２つのインバータを直列に接続した構成を有している。Auto-Manual切替スイッチ７の固定接点７ｃに接続された切替信号出力部９ｂは、さらに可変抵抗器９１ｂを備えている。なお、切替信号出力部９ａは、切替タイミング制御部８の非同期カウンタ８２に接続されている。
【００３５】
また、本実施形態に係る生体内電荷中和装置は、図２に示すように、タイマー装置１０を備える。本実施形態に係るタイマー装置１０には、スイッチ１１を介して２つの電池１２が直列に接続されるとともに、ブザー１３が接続されている。
【００３６】
上記のような構成を有する本実施形態に係る生体内電荷中和装置を使用する場合、まず、スイッチ１１をＯＮにする。これにより、電池１２から本実施形態に係る生体内電荷中和装置の回路全体に通電される。なお、タイマー装置１０において治療時間を設定し、予め設定した治療時間が経過するとブザー１３によりユーザに通知することができる。
【００３７】
次に、Auto-Manual切替スイッチ７により、切替スイッチ４，５の可動接点４ａ，５ａと固定接点４ｂ，４ｃ，５ｂ，５ｃとの接続を切り替えるための切替タイミングを手動で調整するか又は自動的に調整するか決定する。
【００３８】
Auto-Manual切替スイッチ７によりManualに設定すると、Auto-Manual切替スイッチ７の可動接点７ａが固定接点７ｃに接続される。この場合に、手動のダイヤルスイッチにより切替タイミングの電気信号の周波数を設定すると、切替信号出力部９ｂの可変抵抗器９１ｂの抵抗値が変化し、切替信号出力部９ｂから出力される電気信号の周波数が変化する。これにより、手動で設定した一定の周波数の電気信号が切替信号出力部９ｂから出力される。
【００３９】
一方、Auto-Manual切替スイッチ７によりAutoに設定すると、Auto-Manual切替スイッチ７の可動接点７ａが固定接点７ｂに接続される。この場合、まず、切替信号出力部９ａから出力された電気信号が、非同期カウンタ８２に入力される。次に、非同期カウンタ８２に入力された電気信号が出力されると、抵抗により電圧が分圧されてＶＦコンバータ８１に入力され、その分圧された電圧に応じた周波数を有する電気信号がＶＦコンバータ８１から発信される。これにより、切替タイミングをランダムに変化させることができる。
【００４０】
次に、金属接触端子１を口腔内金属に接触させ、組織接触端子２を組織の劣化した部位（例えば、痛みのある部位等）に接触させる。本実施形態に係る生体内電荷中和装置のように、金属接触端子１及び組織接触端子２が、フラクタルコイル１’，２’を介して可動接点４ａ，５ａに接続されていると、このフラクタルコイル１’，２’に発生する方向性を持ったエネルギー場（ベクトルポテンシャル）により、電子が影響を受け、自律神経系の調整を図ることができ、それにより生体組織の劣化等に伴う痛み等をさらに改善することができる。
【００４１】
図１に示すように、第１の切替スイッチ４の可動接点４ａが固定接点４ｂに接続され、第２の切替スイッチ５の可動接点５ａが固定接点５ｂに接続されていると、口腔内金属に存在するプラス電荷がコンデンサ３の電極３ａに移動して蓄積され、組織の劣化した部位に存在するマイナス電荷がコンデンサ３の電極３ｂに移動して蓄積される。
【００４２】
ここで、Auto-Manual切替スイッチ７がManualに設定され、可動接点７ａが固定接点７ｃに接続されている場合、切替信号出力部９ｂから予め設定してある切替タイミングの周波数を有する電気信号が送信される。電気信号が送信されると、その周波数に応じて切替スイッチ駆動部６のコイル６１に通電されたり、通電が遮断されたりする。通電されたときには、切替スイッチ４，５の可動接点４ａ，５ａがそれぞれ固定接点４ｃ，５ｃに接続される。その結果、コンデンサ３の電極３ａは組織接触端子２に接続されることになり、コンデンサ３の電極３ｂは金属接触端子１に接続されることになる。
【００４３】
また、Auto-Manual切替スイッチ７がAutoに設定され、可動接点７ａが固定接点７ｂに接続されている場合、切替信号出力部９ａから出力された電気信号が非同期カウンタ８２に入力される。非同期カウンタ８２に入力された電気信号が出力されると、その電気信号の電圧が抵抗により分圧されてＶＦコンバータ８１に入力され、その分圧されて入力された電圧に応じた周波数を有する電気信号が、切替タイミング制御部８から切替スイッチ駆動部６に送信される。その電気信号の周波数に応じて切替スイッチ駆動部６のコイル６１に通電されたり、通電が遮断されたりし、コイル６１に通電されたときに、切替スイッチ４，５の可動接点４ａ，５ａがそれぞれ固定接点４ｃ，５ｃに接続される。その結果、コンデンサ３の電極３ａは組織接触端子２に接続されることになり、コンデンサ３の電極３ｂは金属接触端子１に接続されることになる。
【００４４】
上記のように第１の切替スイッチ４及び第２の切替スイッチ５が作動することにより、金属接触端子１がコンデンサ３の電極３ｂに接続され、組織接触端子２がコンデンサ３の電極３ａに接続されると、口腔内金属に存在するプラス電荷はコンデンサ３の電極３ｂに蓄積されているマイナス電荷により中和され、組織の劣化した部位に存在するマイナス電荷はコンデンサ３の電極３ａに蓄積されているプラス電荷により中和される。
【００４５】
上記のように中和されると、コンデンサ３の電極３ａ，３ｂには、電荷が蓄積されていない状態になるため、口腔内金属に存在するプラス電荷が、再びコンデンサ３の電極３ｂに移動して蓄積され、生体組織の劣化した部位に存在するマイナス電荷がコンデンサ３の電極３ａに移動して蓄積される。
【００４６】
上記のようにして、口腔内金属に存在するプラス電荷及び生体組織の劣化した部位に存在するマイナス電荷が完全に中和されるまで、一連の切替動作が繰り返される。これにより、生体組織の劣化した部位は、その電荷が略中性となり、劣化による痛み等が抑制される（和らぐ）ことになる。
【００４７】
なお、本実施形態に係る生体内電荷中和装置においては、固定接点４ｂと固定接点５ｃとの接続経路（固定接点４ｂと固定接点５ｃとを接続する導線）上の任意の位置にコンデンサ３の一方の電極が接続され、固定接点４ｃと固定接点５ｂとの接続経路（固定接点４ｃと固定接点５ｂとを接続する導線）上の任意の位置にコンデンサ３の他方の電極が接続された構成を有しているが、コンデンサ３に代えて、コンデンサ３を一部に含む基板３１（以下「コンデンサ基板」という）が接続されていてもよい。
【００４８】
そのようなコンデンサ基板３１としては、図３に示すように、２つのコンデンサ群３２，３２と２つのブリッジダイオード群３３，３３とから構成され、２つのコンデンサ群３２，３２と２つのブリッジダイオード群３３，３３とが並列に接続されてなるものを例示することができる。本例では、コンデンサ群３２は、それぞれ静電容量の異なる５つのコンデンサ３が並列に接続された構成を有し、ブリッジダイオード群３３は５つのブリッジダイオード３４が直列に接続された構成を有している。
【００４９】
上記コンデンサ群３２における各コンデンサ３の静電容量は特に限定されるものではないが、例えば０．０００２２μＦ、０．００１８μＦ、０．１５μＦ、０．１μＦ及び０．４７μＦの静電容量を有するコンデンサ３を組み合わせるのが好ましい。この組み合わせにより、口腔内金属に存在するプラス電荷と生体組織の劣化した部位に存在するマイナス電荷とを、より効率的に中和することができる。
【００５０】
上記ブリッジダイオード３４は、直流出力部（＋）３４１と直流出力部（−）３４２とが電気的に接続され、一方の交流入力部３４３と他方の交流入力部３４４とが電気的に接続された構成を有するとともに、他のブリッジダイオード３４における一方の交流入力部３４３と他方の交流入力部３４４との接続経路上の任意の位置に直流出力部（−）３４２が接続された構成を有している。
【００５１】
上記コンデンサ基板３１においては、当該コンデンサ基板３１の一端は固定接点４ｂと固定接点５ｃとの接続経路上の任意の位置にフラクタルコイル３５を介して接続されてもよいし、コンデンサ基板３１の他端は固定接点４ｃと固定接点５ｂとの接続経路上の任意の位置にフラクタルコイル３６を介して接続されてもよい。
【００５２】
上記のように、コンデンサ３の代わりにコンデンサ基板３１を用いた場合、口腔内金属に存在するプラス電荷が、フラクタルコイル３５を介してコンデンサ基板３１におけるコンデンサ群３２，３２の各コンデンサ３の一方の電極に蓄積され、生体組織の劣化した部位に存在するマイナス電荷が、フラクタルコイル３６を介してコンデンサ基板３１におけるコンデンサ群３２，３２の各コンデンサ３の他方の電極に蓄積される。そして、第１の切替スイッチ４及び第２の切替スイッチ５における可動接点４ａ，５ａと固定接点４ｂ，４ｃ，５ｂ，５ｃとの接続が所定のタイミングにより切り替わることにより、コンデンサ３の電極に蓄積された電荷の正負が反転し、口腔内金属及び生体組織の劣化した部位に存在する電荷を中和することができる。また、ブリッジダイオード群３３に電流が流れることで、コンデンサ群３２の各コンデンサ３の電極に電荷が蓄積されつつ、組織の劣化した部位にプラス電荷が流入され、口腔内金属にマイナス電荷が流入されるため、さらに効率的に中和することができる。
【００５３】
本実施形態に係る生体内電荷中和装置は、痛みのある部位であれば、特に限定されることなく適用でき、例えば、頭痛、頚部痛、肩こり、四肢痛、腰痛、ヘルニアに伴う痛み、リウマチに伴う関節痛等に適用することができる。
【００５４】
本実施形態に係る生体内電荷中和装置を用いて、様々な部位の痛み（頭痛、頚部痛、四肢痛、腰痛等）を訴える患者１００人に対して治療を行い、治療前後における痛みの改善度（治療前の痛みを１０とした場合の治療後の痛みの度合い）について聞き取り調査を行った結果、すべての患者において痛みが改善されており、９割以上の患者においては痛みの度合いが５以下となった。
【００５５】
また、μ−ＰＯＴＥＮＴＩＡＬ（商品名，Ｐｉｔｔｅｒｌｉｎｇ  Ｅｌｅｃｔｒｏｎｉｃ  Ｇｍｂｈ社製）を用い、治療前後の口腔内金属に存在する電流・電圧の変化を測定したところ、すべての患者において電流及び電圧が減少していた。
【００５６】
この結果から、本実施形態に係る生体内電荷中和装置は、口腔内金属及び生体組織に存在する電荷を効果的に中和させることができ、組織の劣化等に伴う痛み等の抑制に有効であることが確認できた。
【産業上の利用可能性】
【００５７】
本発明に係る生体内電荷中和装置は、痛み等を伴う劣化した生体組織等の治療又は改善に有用である。
【図面の簡単な説明】
【００５８】
【図１】本実施形態に係る生体内電荷中和装置の回路図である。
【図２】本実施形態に係る生体内電荷中和装置におけるタイマー装置の回路図である。
【図３】本実施形態に係る生体内電荷中和装置におけるコンデンサ基板の回路図である。
【符号の説明】
【００５９】
１…金属接触端子
２…組織接触端子
３…コンデンサ
３ａ，３ｂ…電極
４…第１の切替スイッチ
４ａ…可動接点
４ｂ，４ｃ…固定接点
５…第２の切替スイッチ
５ａ…可動接点
５ｂ，５ｃ…固定接点
６…切替スイッチ駆動部
８…切替タイミング制御部
９ａ，９ｂ…切替信号出力部
【図１】
2006068414.tif 000003
【図２】
2006068414.tif 000004
【図３】
2006068414.tif 000005